(57)【要約】【課題】簡易な機構で挟持部を回転可能とさせるベルトクリップ及び印刷装置を提供する。【解決手段】印刷装置１の設置部６０にはベルトクリップ１００が設置されている。ベルトクリップ１００は、クリップ部材と、保持部材１２０と、支持部材とを備える。クリップ部材は、帯状のベルトを挟持可能な挟持部１６２と、挟持部１６２が回転する場合の支点となる球状部１７０とを備える。保持部材１２０は球状部１７０を後側から摺動可能に支持し、支持部材は球状部１７０を前側から摺動可能に支持する。【選択図】図２
2015160427.tif 000002
【特許請求の範囲】
【請求項１】
帯状に形成されたベルトを挟持可能であり、且つ携帯品に設置可能なベルトクリップであって、
互いに対向し、且つそれぞれの延設方向における一端部が互いに連結された一対の板状部材からなる挟持部、球状に形成された球状部、及び前記挟持部と前記球状部とを連結させる連結部を有するクリップ部材と、
前記球状部を摺動可能に支持する支持面が設けられ、前記携帯品に接触可能な板状の支持部材と、
前記球状部に前記支持部材とは反対側から接触する平板部を有し、前記支持部材に取り付けられる保持部材とを備え、
前記保持部材は、
前記平板部のうち、前記球状部を挟んで前記支持面と対向する部分を少なくとも開口する第一開口部を形成する第一縁部であって、内側に前記連結部が挿通され、且つ前記球状部を摺動可能に支持する第一縁部を備えたことを特徴とするベルトクリップ。
【請求項２】
前記保持部材は、前記平板部の一端部から前記支持部材へ向けて立設され、基端部を開口する第二開口部が形成された壁部を備え、
前記第一縁部は、前記平板部のうち、前記一端部とは反対の他端部から前記一端部まで延びる一対の第二縁部を備え、
前記第一開口部及び前記第二開口部は、一つの開口部を形成することを特徴とする請求項１に記載のベルトクリップ。
【請求項３】
前記保持部材は、前記平板部から前記支持部材へ向けて突出する複数の突出部を備え、
前記支持部材は、
前記複数の突出部のそれぞれが挿通される複数の貫通孔と、
前記保持部材と接触する場合に、前記保持部材が前記支持部材へ向けて移動するのを規制する規制部とを備え、
前記複数の突出部は、それぞれ、基端部から先端部にかけて内部を貫通する貫通口を備えたことを特徴とする、請求項１又は２に記載のベルトクリップ。
【請求項４】
前記支持部材及び前記保持部材のうち何れか一方に設けられ、前記複数の突出部が突出する方向と交差する方向へ向けて突出する係合爪と、
前記支持部材及び前記保持部材のうち何れか他方に設けられ、前記係合爪と係合する係合穴と
を備えたことを特徴とする請求項１〜３の何れかに記載のベルトクリップ。
【請求項５】
帯状に形成されたベルトを挟持可能なベルトクリップと、前記ベルトクリップが設置される設置部とを備えた印刷装置であって、
前記ベルトクリップは、
互いに対向し、且つそれぞれの延設方向における一端部が互いに連結された一対の板状部材からなる挟持部、球状に形成された球状部、及び前記挟持部と前記球状部とを連結させる連結部を有するクリップ部材と、
前記球状部を摺動可能に支持する支持面が設けられ、前記設置部に接触する板状の支持部材と、
前記球状部に前記支持部材とは反対側から接触する平板部を有し、前記支持部材に取り付けられる保持部材とを備え、
前記保持部材は、
前記平板部のうち、前記球状部を挟んで前記支持面と対向する部分を少なくとも開口する第一開口部を形成する第一縁部であって、内側に前記連結部が挿通され、且つ前記球状部を摺動可能に支持する第一縁部を備えたことを特徴とする印刷装置。
【請求項６】
前記保持部材は、前記平板部の一端部から、前記支持部材へ向けて立設され、基端部を開口する第二開口部が形成された壁部を備え、
前記第一縁部は、前記平板部のうち、前記一端部とは反対の他端部から前記一端部まで延びる一対の第二縁部を備え、
前記第一開口部及び前記第二開口部は、一つの開口部を形成することを特徴とする請求項５に記載の印刷装置。
【請求項７】
前記設置部は、
平面状に形成され、前記支持部材が接触する平面部と、
前記平面部に設けられ、それぞれがネジ穴を有する複数の固定部とを備え、
前記保持部材は、前記複数の固定部のそれぞれに対応して前記平板部から前記支持部材へ向けて突出して設けられ、且つ前記複数の固定部に固定される複数の突出部を備え、
前記支持部材は、
前記複数の突出部のそれぞれが挿通される複数の貫通孔と、
前記保持部材と接触する場合に、前記保持部材が前記支持部材へ向けて移動するのを規制する規制部とを備え、
前記複数の突出部は、それぞれ、基端部から先端部にかけて内部を貫通し、且つ対応する前記固定部の前記ネジ穴と対向する貫通口を備えたことを特徴とする請求項５又は６に記載の印刷装置。
【発明の詳細な説明】
【技術分野】
【０００１】
本発明は、ベルトクリップ及び印刷装置に関する。
【背景技術】
【０００２】
従来、携帯型の電子装置に取付けられ、且つベルトを挟持する挟持部が回転可能なベルトクリップが知られている。例えば、特許文献１に開示のベルトクリップは、取付ブラケット、スイベルマウント、旋回ブラケット、保持ピン、及びクリップ本体を備える。取付ブラケットは電子装置に取り付けられる。スイベルマウントは取付ブラケットに設けられる。旋回ブラケットはスイベルマウントに設けられる。クリップ本体は保持ピンを介して旋回ブラケットに設けられる。クリップ本体は、ベルトを挟持可能な挟持部であり、スイベルマウントの回転軸及び保持ピンを中心に回転可能である。
【先行技術文献】
【特許文献】
【０００３】
【特許文献１】特開２００８−２０８９９３号公報
【発明の概要】
【発明が解決しようとする課題】
【０００４】
しかしながら、上記ベルトクリップは、クリップ本体を回転させるために取付ブラケット、スイベルマウント、旋回ブラケット、及び保持ピンを備える必要がある。そのため、ベルトクリップが備える部材が多くなり、機構が複雑になるという問題点があった。
【０００５】
本発明の目的は、簡易な機構で挟持部を回転可能とさせるベルトクリップ及び印刷装置を提供することである。
【課題を解決するための手段】
【０００６】
本発明の第一態様に係るベルトクリップは、帯状に形成されたベルトを挟持可能であり、且つ携帯品に設置可能なベルトクリップであって、互いに対向し、且つそれぞれの延設方向における一端部が互いに連結された一対の板状部材からなる挟持部、球状に形成された球状部、及び前記挟持部と前記球状部とを連結させる連結部を有するクリップ部材と、前記球状部を摺動可能に支持する支持面が設けられ、前記携帯品に接触可能な板状の支持部材と、前記球状部に前記支持部材とは反対側から接触する平板部を有し、前記支持部材に取り付けられる保持部材とを備え、前記保持部材は、前記平板部のうち、前記球状部を挟んで前記支持面と対向する部分を少なくとも開口する第一開口部を形成する第一縁部であって、内側に前記連結部が挿通され、且つ前記球状部を摺動可能に支持する第一縁部を備えたことを特徴とする。
【０００７】
上記態様のベルトクリップによれば、挟持部は、一対の板状部材でベルトを挟むことでベルトを挟持する。球状部が支持面及び第一縁部に対して摺動することで、挟持部は球状部を支点として回転する。ベルトクリップは、クリップ部材、支持部材、及び保持部材を備えるだけで、挟持部を回転可能とさせることができる。よって、ベルトクリップは、簡易な機構で挟持部を回転可能とさせることができる。
【０００８】
本発明の第二態様に係る印刷装置は、帯状に形成されたベルトを挟持可能なベルトクリップと、前記ベルトクリップが設置される設置部とを備えた印刷装置であって、前記ベルトクリップは、互いに対向し、且つそれぞれの延設方向における一端部が互いに連結された一対の板状部材からなる挟持部、球状に形成された球状部、及び前記挟持部と前記球状部とを連結させる連結部を有するクリップ部材と、前記球状部を摺動可能に支持する支持面が設けられ、前記設置部に接触する板状の支持部材と、前記球状部に前記支持部材とは反対側から接触する平板部を有し、前記支持部材に取り付けられる保持部材とを備え、前記保持部材は、前記平板部のうち、前記球状部を挟んで前記支持面と対向する部分を少なくとも開口する第一開口部を形成する第一縁部であって、内側に前記連結部が挿通され、且つ前記球状部を摺動可能に支持する第一縁部を備えたことを特徴とする。
【０００９】
上記態様の印刷装置によれば、ユーザは、着用するベルトを一対の板状部材で挟むことで、挟持部にベルトを挟持させることができ、印刷装置を携帯品として携帯できる。球状部が支持面及び第一縁部に対して摺動することで、挟持部は球状部を支点として設置部に相対して回転可能である。従って、ユーザは、携帯する印刷装置を、球状部を支点として回転させ、印刷装置の姿勢を変化させることができる。印刷装置は、姿勢を変化させるために、クリップ部材、支持部材、保持部材、及び設置部を備えるだけである。よって、印刷装置は、簡易な機構で、姿勢を変化させることができる。
【図面の簡単な説明】
【００１０】
【図１】印刷装置１を前側からみた斜視図である。
【図２】印刷装置１を後側からみた斜視図である。
【図３】固定部６５を後側からみた拡大斜視図である。
【図４】ベルトクリップ１００を前側からみた斜視図である。
【図５】ベルトクリップ１００を上側からみた分解図である。
【図６】係合爪１３９及び係合穴１４４Ａを上側からみた斜視図である。
【図７】クリップ部材１６０が球状部１７０を支点として前後方向を中心に回転する場合の印刷装置１を後側からみた斜視図である。
【図８】クリップ部材１６０が球状部１７０を支点として左右方向を中心に回転する場合の印刷装置１を後側からみた斜視図である。
【図９】図８のＩ−Ｉ線における矢視方向からみた、突出部１３２と固定部６５とが締結される状態を示す断面図である。
【発明を実施するための形態】
【００１１】
本発明の実施の形態について、図面を参照し説明する。図１〜図６を参照し、携帯品としての印刷装置１の概略構成について説明する。なお、図１の上方、下方、右下方、左上方、左下方、及び右上方が、それぞれ、印刷装置１の上方、下方、後方、前方、右方、及び左方である。図３は、図２にて仮想線で囲んだ領域を拡大した図である。
【００１２】
印刷装置１は、印刷媒体である感熱紙（図示外）に文字、図形、及び記号等のキャラクタを印刷可能な携帯型の印刷装置である。印刷装置１は、例えば、接続されるＵＳＢ（登録商標）ケーブルを介して、パーソナルコンピュータ（図示外）等の外部端末から受信するキャラクタのデータであるキャラクタデータに基づいて、感熱紙に印刷を実行する。
【００１３】
図１に示すように、印刷装置１は、筐体１０、表示部２０、操作部４０、設置部６０（図２参照）、及びベルトクリップ１００（図２参照）を備える。筐体１０は、上下方向に長い略直方体状である。筐体１０は、前カバー１２、後カバー１４、及び蓋部１６を備える。前カバー１２は、印刷装置１の上下方向略中央よりも下側において、筐体１０の前側部を形成する、正面視で略矩形状の板部である。後カバー１４は筐体１０の後側部を形成する背面視で略矩形状の板部である。後カバー１４には、背面の下側部が前方へ向かって凹むことで形成される凹部１５（図２参照）が設けられている。
【００１４】
蓋部１６は、印刷装置１の上下方向略中央よりも上側において、筐体１０の前側部を形成する、正面視で略矩形状の板部である。蓋部１６は、後カバー１４の上端部にて軸支されている。蓋部１６の後方には、感熱紙が巻回されたロール（図示外）が収容されるロール収容部（図示外）が形成されている。蓋部１６は、ロール収納部を閉塞する閉塞位置（図１参照）と、ロール収容部を開放する開放位置（図示外）との間を回動可能である。蓋部１６の先端部（図１においては下端部）には、左右方向に長いプラテンローラ１７が設けられている。プラテンローラ１７は、筐体１０の内部に設けられた搬送モータ（図示外）の駆動に伴って回転可能である。
【００１５】
蓋部１６は、前カバー１２の上側に配置されている。閉塞位置にある蓋部１６の下端部と、前カバー１２の上端部との間には、排出口１８が形成されている。排出口１８は、左右方向に長いスリットであり、印刷された感熱紙を印刷装置１の外側へ向けて排出可能である。排出口１８の内側には、排出される感熱紙を切断可能な左右方向に延びる切断歯１９が設けられている。排出口１８に対して感熱紙の搬送方向上流側には、サーマルヘッド（図示外）が設けられている。サーマルヘッドは、感熱紙が搬送される場合に通過する領域を挟んで、閉塞位置にある蓋部１６のプラテンローラ１７と対向する。サーマルヘッドは、搬送される感熱紙にキャラクタの印刷を筐体１０の内部にて行う。
【００１６】
表示部２０は、前カバー１２の前面の上下方向略中央に設けられている。表示部２０には感熱紙に印刷されるキャラクタ等が表示される。操作部４０は、前カバー１２の前面のうち表示部２０の下側に設けられている。操作部４０は、左右方向に並ぶ複数のキーを備える。ユーザは、操作部４０を介して、各種動作の指示を印刷装置１に入力できる。  
【００１７】
図２に示すように、設置部６０は、凹部１５の前側に形成される。設置部６０は、平面部６２、立設部６３、及び二つの凹部６４を備える。平面部６２は、凹部１５を前方から囲む平面状に形成された面部であり、背面視で左右方向に長い略矩形状である。立設部６３は、凹部１５を上方から囲む、平面状に形成された面部である。立設部６３は、平面部６２から後方へ向けて立設している。
【００１８】
二つの凹部６４は、それぞれ、平面部６２の左右両端部が、前方へ向かって凹むことで形成される。図３に示すように、凹部６４は、背面視で略円形状である。凹部６４の内側には、固定部６５が設けられている。固定部６５は、凹部６４を前側から囲む面から後方へ向かって突出する略円柱状の凸部である。固定部６５は平面部６２に設けられる。二つの固定部６５は、それぞれネジ穴６５Ａを備える。
【００１９】
図４〜図６を参照し、ベルトクリップ１００について説明する。ベルトクリップ１００は、ユーザが着用する帯状のベルト（図示外）を挟持可能なユニット化された部材である。図４及び図５に示すように、ベルトクリップ１００は、保持部材１２０、支持部材１４０、及びクリップ部材１６０を備える。
【００２０】
保持部材１２０は、凹部１５（図２参照）を覆って固定部６５（図３参照）に固定される板状部材である。保持部材１２０は、板状部１２５、包囲壁１２４、二つの立壁１３８（図６参照）、及び二つの突出部１３２を備える。板状部１２５は、右側面視で逆Ｌ字状であり、左右方向略中央部には開口部１２１（図５参照）が設けられている。板状部１２５は、壁部１２６及び平板部１２２によって形成されている。
【００２１】
壁部１２６は、板状部１２５の下端部を形成する平面視で左右方向に略矩形状であり、凹部１５（図２参照）を下方から覆っている。壁部１２６の後端部のうち、左右方向略中央部は、開口部１２１（図５参照）によって開口されている。以下、開口部１２１のうち、壁部１２６の後端部を開口する部分を下側開口部１２１Ａ（図２及び図５参照）という。壁部１２６の左右方向略中央部には、下側開口部１２１Ａを前方から囲む縁部１２６Ａ（図５参照）が形成されている。縁部１２６Ａは、壁部１２６の後端部から、前方へ向かって円弧状に湾曲している。
【００２２】
平板部１２２は、板状部１２５後端部を形成する背面視で左右方向に長い略矩形状であり、凹部１５（図２参照）を後方から覆っている。平板部１２２は壁部１２６の後端部から上方へ向かって立設している。言い換えると、壁部１２６は、平板部１２２の下端部（上下方向における一端部）から前方へ向かって立設しており、壁部１２６の後端部は基端部となる。以下、平板部１２２の下端部を平板部１２２の一端部といい、平板部１２２の上端部を平板部１２２の他端部という。
【００２３】
平板部１２２は、開口部１２１を挟んで左右方向に並ぶ二つの平面部１２３によって形成されている。二つの平面部１２３には、それぞれ、略円形の貫通孔１２３Ａ（図２ではその一方を図示）が設けられている。二つの平面部１２３のうち、互いに近接する側の縁部１２３Ｂは、平板部１２２の一端部から他端部まで直線状に延びている。二つの縁部１２３Ｂは、開口部１２１のうち平板部１２２を開口する部分（以下、上側開口部１２１Ｂという）を左右両側から囲んでいる。二つの縁部１２３Ｂ（以下、一対の縁部１２３Ｂという）の下端部は、それぞれ、縁部１２６Ａの後端部と接続している。つまり、開口部１２１は、下側開口部１２１Ａ及び上側開口部１２１Ｂによって形成されている。
【００２４】
図６に示すように、包囲壁１２４は、平板部１２２の前面から前方に向かって延びる壁部であり、正面視で上側開口部１２１Ｂを囲むように円形状に形成されている。包囲壁１２４の上端部は前後方向に亘って開口されている。包囲壁１２４の下端部のうち、下側開口部１２１Ａ（図５参照）と対向する部分は開口されている（図５参照）。
【００２５】
図６に示すように、二つの立壁１３８は、それぞれ、包囲壁１２４の左右両側において、二つの平面部１２３から前方へ立設する平面視で略矩形状の板部である。二つの立壁１３８の前面には、それぞれ、上方へ向かって突出する係合爪１３９が設けられている。係合爪１３９は、右側面視で、上方へ向かうほど幅が狭くなる三角形状の板部である。係合爪１３９のうち、前後方向略中央には、上下方向及び左右方向に延びる平面１３９Ａが形成されている。
【００２６】
図５に示すように、二つの突出部１３２は、それぞれ、二つの立壁１３８の左右両側において、二つの平面部１２３から前方へ向かって延びる略有底円筒状である。二つの突出部１３２の後側部は開口している。二つの突出部１３２の筒孔１３２Ａは、それぞれ、貫通孔１２３Ａ（図２参照）と連通している。
【００２７】
突出部１３２の前側部には、筒孔１３２Ａを閉塞する前面部１３２Ｂが形成されている。前面部１３２Ｂの略中央部には、筒孔１３２Ａと連通する貫通孔１３２Ｃが設けられている。筒孔１３２Ａ及び貫通孔１３２Ｃは、突出部１３２の内部を基端部から先端部にかけて貫通する貫通口である。貫通孔１３２Ｃは、ネジ穴６５Ａ（図２参照）と対向している。ネジ５（図９参照）の軸部５Ａが貫通孔１３２Ｃに挿通され、さらにネジ穴６５Ａに締め付けられることで、保持部材１２０は固定部６５に固定されている。
【００２８】
図４に示すように、前面部１３２Ｂの周縁部には、前方へ向かって突出する環状の凸部１３２Ｄが設けられている。凸部１３２Ｄは、凹部６４（図２参照）に進入している。突出部１３２の外周部の上部及び下部には、突起１３２Ｅ，１３２Ｆが設けられている（図９参照）。突起１３２Ｅ，１３２Ｆは、右側面視で前後方向に長い略矩形状である。
【００２９】
図５に示すように、支持部材１４０は板状に形成された部材であり、平面部６２（図２参照）と接触している。支持部材１４０は、板部１４２、突部１４６、及び二つの立設部１４４を備える。板部１４２は、正面視で左右方向に長い略矩形状であり、保持部材１２０の平板部１２２と対向している。板部１４２の左右両端部には、それぞれ、板部１４２を前後方向に貫通する二つの貫通孔１４３（図４参照）が設けられている。二つの貫通孔１４３は、それぞれ、周壁部１４３Ａ（図４参照）によって囲まれている。二つの貫通孔１４３には、それぞれ、二つの突出部１３２が挿通されている。
【００３０】
突部１４６は、板部１４２の左右方向略中央部から後方へ向かって突出する略円柱状である。突部１４６の後端面には、前方へ向かって円弧状に湾曲する支持面１４８が形成されている。
【００３１】
図６に示すように、二つの立設部１４４は、それぞれ、平面視で矩形且つ枠状に形成され、突部１４６の左右両側で板部１４２から後方へ向かって立設している。二つの立設部１４４の内側には、それぞれ、係合穴１４４Ａが形成されている。二つの係合穴１４４Ａには、それぞれ、係合爪１３９が係合されている。立設部１４４は、係合穴１４４Ａを後方から囲む平面１４４Ｂを有する。平面１４４Ｂは、僅かな隙間を挟んで係合爪１３９の平面１３９Ａと後方から対向している。
【００３２】
図５に示すように、クリップ部材１６０は、球状部１７０、連結部１６６、及び挟持部１６２を備える。球状部１７０は、略球状に形成されており、包囲壁１２４の内側であって、支持面１４８及び一対の縁部１２３Ｂの間に配置されている。球状部１７０は、支持面１４８及び一対の縁部１２３Ｂによって、摺動可能に支持されている。
【００３３】
連結部１６６は、円柱状に形成されており、球状部１７０から開口部１２１を通過して支持部材１４０の板部１４２と離間する方向に延びる。挟持部１６２は、連結部１６６に、球状部１７０とは反対側から連結している。言い換えると、連結部１６６は、挟持部１６２と球状部１７０を連結させている。挟持部１６２は、互いに対向する一対の板状部材１６４からなる。一対の板状部材１６４は、それぞれ略矩形状に形成されている。一対の板状部材１６４は、延設方向における一端部が互いに連結されている。
【００３４】
図４及び図５を参照し、ここで、保持部材１２０、支持部材１４０、及びクリップ部材１６０の詳細な位置関係について説明する。保持部材１２０の平板部１２２は、支持部材１４０の後方に位置する。保持部材１２０の壁部１２６は、平板部１２２の一端部から、前後方向に沿って支持部材１４０の前側斜め下方まで延びる。つまり、壁部１２６は、平板部１２２の一端部から支持部材１４０へ向けて立設されている。
【００３５】
支持部材１４０の支持面１４８は、球状部１７０を前側から摺動可能に支持している。保持部材１２０の一対の縁部１２３Ｂは、球状部１７０を後側から摺動可能に支持している。つまり、保持部材１２０の平板部１２２は、支持面１４８とは反対側から球状部１７０に接触している。
【００３６】
上側開口部１２１Ｂは、球状部１７０の後方で前後方向に延びる。つまり、上側開口部１２１Ｂは、平板部１２２のうち、球状部１７０を挟んで支持面１４８と対向する部分で少なくとも開口している。
【００３７】
図４に示すように、保持部材１２０の二つの突出部１３２の先端部は、支持部材１４０の貫通孔１４３から前方へ突出している。つまり、二つの突出部１３２は、それぞれ、平板部１２２から支持部材１４０へ向けて突出して設けられており、支持部材１４０に対して平板部１２２とは反対側へ貫通孔１４３から突出している。
【００３８】
図１を参照し、印刷装置１の印刷動作の概要について説明する。印刷装置１は、受信したキャラクタデータに基づいてキャラクタを表示部２０に表示する。ユーザは、操作部４０を介して、所望のキャラクタを選択し、印刷開始の指示を入力する。印刷開始の指示が入力されると、印刷装置１は搬送モータ（図示外）を駆動してプラテンローラ１７を回転させる。これにより、ロール（図示外）に巻回された感熱紙（図示外）は排出口１８へ向けて搬送される。同時に、サーマルヘッドは、搬送される感熱紙にキャラクタの印刷を行う。この結果、キャラクタが印刷された感熱紙が排出口１８から排出される。ユーザは、排出口１８から排出される感熱紙を、下方へ向けて引っ張り、切断歯１９に押し付けて切断する。
【００３９】
図１、図７、及び図８を参照し、携帯される印刷装置１の姿勢が変化する場合について説明する。ユーザは、着用する帯状に形成されたベルト（図示外）を挟持部１６２で挟持する。結果、印刷装置１は、挟持部１６２が挟持するベルトからから筐体１０が垂下する姿勢となる。印刷装置１は、下側部が上方に位置し、上側部が下方となる姿勢で携帯される。つまり、携帯される印刷装置１は、上下反転された姿勢で携帯される。ユーザはハンズフリーで印刷装置１を携帯できる。
【００４０】
図７に示すように、球状部１７０は、支持面１４８（図４参照）及び一対の縁部１２３Ｂ（図４参照）に対して摺動しながら、前後方向を中心に回転可能である。つまり、挟持部１６２は、球状部１７０を支点として前後方向を中心に、筐体１０に相対して回転可能である。印刷装置１が携帯される場合、ベルト（図示外）を挟持するベルトクリップ１００の姿勢は一定である。従って、ユーザは、把持する筐体１０を、球状部１７０を支点として前後方向を中心に回転させることができる。
【００４１】
図８に示すように、球状部１７０は、支持面１４８（図５参照）及び一対の縁部１２３Ｂ（図５参照）に対して摺動しながら、左右方向を中心に回転可能である。つまり、挟持部１６２は、球状部１７０を支点として左右方向を中心に、筐体１０に相対して回転可能である。印刷装置１が携帯される場合、ユーザは、把持する筐体１０を、球状部１７０を支点として左右方向を中心に回転させることができる。ここで、連結部１６６（図６参照）は、開口部１２１に沿って、平板部１２２の他端側から壁部１２６の基端側まで、球状部１７０を支点として回転できる。従って、挟持部１６２の可動範囲は広くなる。
【００４２】
印刷装置１が携帯される場合、筐体１０は、球状部１７０を支点として、前後方向及び左右方向を中心に回転可能である。従って、ユーザは、ハンズフリーで印刷装置１を携帯しつつ、必要に応じて筐体１０を把持し、印刷装置１の姿勢を自由に変化させることができる。
【００４３】
筐体１０の前後方向及び左右方向を中心とした回転は、いずれも球状部１７０を支点としてなされる。つまり、筐体１０が前後方向を中心に回転する場合の回転軸と、左右方向を中心に回転する場合の回転軸は、球状部１７０の中心を通過して互いに直交する。従って、印刷装置１は、二本の回転軸が互いにねじれの関係にある場合と比較して、小型化を実現することができる。
【００４４】
図４及び図５を参照し、ベルトクリップ１００の組み立て方法について説明する。作業者は、球状部１７０を、保持部材１２０の平板部１２２とは反対側から包囲壁１２４の内側に進入させ、挟持部１６２を、平板部１２２又は壁部１２６を挟んで球状部１７０とは反対側に位置させる。二つの突出部１３２を、それぞれに対応する貫通孔１４３（図４参照）に進入させつつ、係合爪１３９を係合穴１４４Ａに係合させる（図６参照）。球状部１７０は、支持面１４８及び一対の縁部１２３Ｂによって前後方向から摺動可能に挟み込まれ支持された状態となる。結果、ベルトクリップ１００は組み立てられる。
【００４５】
図２及び図９を参照し、組み立てられたベルトクリップ１００を設置部６０に設置する方法について説明する。ベルトクリップ１００は、印刷装置１が携帯される場合に、ユーザによって設置部６０に設置される。ユーザは、突出部１３２の凸部１３２Ｄを、凹部６４に進入させつつ、支持部材１４０を平面部６２（図２参照）に載置する。凸部１３２Ｄが凹部６４に進入することで、平面部６２に載置されるベルトクリップ１００は、固定部６５の軸線と直交する方向の位置決めがなされる。結果、二つの貫通孔１３２Ｃは、それぞれ、二つのネジ穴６５Ａ（図９参照）と対向する。
【００４６】
図９に示すように、ユーザは、貫通孔１２３Ａ及び筒孔１３２Ａに後側から進入させたネジ５の軸部５Ａを、貫通孔１３２Ｃに挿通させ、さらにネジ穴６５Ａに締め付ける。
ネジ５が締め付けられる過程で、突起１３２Ｅ，１３２Ｆが後方から周壁部１４３Ａに接触する。ネジ５がさらに締め付けられることで、保持部材１２０は固定部６５（図２参照）に固定される。
【００４７】
ユーザは、ネジ５を貫通孔１２３Ａ及び筒孔１３２Ａに進入させる場合、挟持部１６２が筐体１０の下方で略前後方向に延びる位置までクリップ部材１６０を回転させることができる（図８参照）。挟持部１６２が貫通孔１２３Ａの後方に位置しないので、ユーザは、ネジ５を挿通させる貫通孔１２３Ａ、筒孔１３２Ａ、及び貫通孔１３２Ｃを視認し易い。よって、印刷装置１は、ベルトクリップ１００の設置部６０への設置を容易にできる。
【００４８】
また、ユーザによるネジ５の締め付けが不十分な場合、ベルトクリップ１００が設置部６０に設置されても、保持部材１２０は後方へ移動可能となる。しかしながら、平面１３９Ａ，１４４Ｂ（図６参照）の間には僅かな隙間しかないので、保持部材１２０の後方への移動は制限される。従って、球状部１７０を支持する一対の縁部１２３Ｂ及び支持面１４８（図５参照）が互いに離間し過ぎることがない。よって、印刷装置１は、ユーザによるネジ５の締め付けが不十分な場合であっても、球状部１７０の摺動性が損なわれることを防止できる。
【００４９】
以上、説明したように、ベルトクリップ１００は、クリップ部材１６０、支持部材１４０、及び保持部材１２０を備えるだけで、球状部１７０を支点として挟持部１６２を回転可能とさせることができる。従って、ベルトクリップ１００は、簡易な機構で挟持部１６２を回転可能とさせることができる。また、携帯される印刷装置１は、ベルトクリップ１００が設置部６０に設置されるだけで、姿勢を変化させることができる。よって、印刷装置１は、簡易な機構で、携帯される場合の姿勢を変化させることができる。
【００５０】
また、連結部１６６が平板部１２２の他端側と壁部１２６の基端部との間を開口部１２１に沿って回転できるので、挟持部１６２の可動範囲は広くなる。よって、印刷装置１は、左右方向を中心とした回転可能な範囲を大きくできるので、変化可能な姿勢を多様化できる。また、上側開口部１２１Ｂによって分断される二つの平面部１２３は、壁部１２６の先端部（前端部）によって連結される。ベルトクリップ１００は、分断された二つの平面部１２３を連結する部材を、支持部材１４０、保持部材１２０、及びクリップ部材１６０以外に新たに備える必要がない。よって、ベルトクリップ１００は、簡易な機構で挟持部１６２の可動範囲を広くでき、印刷装置１は、簡易な機構で変化可能な姿勢を多様化できる。
【００５１】
また、ネジ５がネジ穴６５Ａに締め付けられる場合、保持部材１２０は、平面部６２及び支持部材１４０が配置される前側へ向けて押圧される。この場合、周壁部１４３Ａが突起１３２Ｅ，１３２Ｆと接触することで、保持部材１２０は、前側への移動が制限される。そして、さらにネジ５が締め付けられることで、保持部材１２０が前側へ押圧されても、保持部材１２０に作用する押圧力は、周壁部１４３Ａに分散される。従って、ネジ５の締め付けに伴って、支持面１４８及び一対の縁部１２３Ｂが球状部１７０を強固に挟み込むことはなく、球状部１７０の摺動が阻害されることはない。よって、ベルトクリップ１００は、設置部６０に設置される場合であっても、挟持部１６２の回転が阻害されることを防止でき、印刷装置１は、携帯される場合の姿勢の変化が阻害されることを防止できる。
【００５２】
係合爪１３９を係合穴１４４Ａに係合させることで、保持部材１２０は支持部材１４０に取り付けられる。ベルトクリップ１００は、保持部材１２０が支持部材１４０に取り付けられるための締結部材を新たに備える必要がない。よって、ベルトクリップ１００は機構をさらに簡易化できる。
【００５３】
上記実施形態において、上側開口部１２１Ｂが本発明の「第一開口部」に相当し、下側開口部１２１Ａが本発明の「第二開口部」に相当し、一対の縁部１２３Ｂが本発明の「一対の第二縁部」に相当し、周壁部１４３Ａが本発明の「規制部」に相当し、筒孔１３２Ａ及び貫通孔１３２Ｃが本発明の「貫通口」に相当する。
【００５４】
本発明は上記実施形態に限定されるものではなく、種々の変更が可能である。ベルトクリップ１００は、印刷装置１以外の携帯品に設置されてもよい。例えば、携帯電話、スマートフォン、ポータブルスピーカ等の持ち運び可能な電子装置に設置されてもよい。
【００５５】
ベルトクリップ１００は、設置部６０にネジ５で固定されていなくてもよい。例えば、ベルトクリップは設置部に係合させることで筐体１０に装着させてもよい。
【００５６】
ベルトクリップ１００は、保持部材１２０に係合爪１３９を備え、支持部材１４０に係合穴１４４Ａを備えるがこれに限られない。係合爪が支持部材に設けられ、係合穴が保持部材に設けられていてもよい。
【００５７】
開口部１２１は、平板部１２２及び壁部１２６を開口しているが、これに限られない。開口部は、平板部のうち、球状部１７０挟んで支持面１４８と対向する部分のみを開口していてもよい。この場合であっても、ベルトクリップは、球状部１７０支点として、前後方向を中心に回転可能である（図７参照）。
【００５８】
突出部１３２は、平板部１２２に二つ左右方向に並んで設けられるが、これに限られない。突出部１３２は、正面視で平板部１２２の四隅から、前方へ向けて突出していてもよい。
【符号の説明】
【００５９】
１          印刷装置
６０        設置部
６２        平面部
６５        固定部
６５Ａ      ネジ穴
１００      ベルトクリップ
１２０      保持部材
１２１Ａ    下側開口部
１２１Ｂ    上側開口部
１２２      平板部
１２３Ｂ    縁部
１２６      壁部
１３２      突出部
１３２Ａ    筒孔
１３２Ｃ    貫通孔
１３９      係合爪
１４０      支持部材
１４３      貫通孔
１４３Ａ    周壁部
１４４Ａ    係合穴
１４８      支持面
１６０      クリップ部材
１６２      挟持部
１６４      板状部材
１６６      連結部
１７０      球状部
【図１】
2015160427.tif 000003
【図２】
2015160427.tif 000004
【図３】
2015160427.tif 000005
【図４】
2015160427.tif 000006
【図５】
2015160427.tif 000007
【図６】
2015160427.tif 000008
【図７】
2015160427.tif 000009
【図８】
2015160427.tif 000010
【図９】
2015160427.tif 000011